(57)【要約】【課題】一斉放送することができなかった棟の住棟警報監視盤を予め記憶しておくことで、一斉放送処理を行った後に、その住棟警報監視盤を確認できるセンター監視盤を提供する。【解決手段】集合住宅の各住棟に設置され、少なくとも、各住戸に設置されたインターホン親機を備えた住宅情報端末器、ロビーインターホンとの間で呼出通話を行い、かつ、集合住宅内のセキュリティ監視制御を行うようにした住棟警報監視盤に信号線を介して接続されたセンター監視盤であって、住棟警報監視盤に信号線を通じて一斉放送要求信号を送信したときには、それぞれの警報監視盤からの一斉放送受信可能信号の返信有無を判別して、一斉放送受信可能信号が返信された住棟警報監視盤には信号線を通じて、各住棟へ放送メッセージを一斉に出力する一方、一斉放送受信可能信号が返信されなかった住棟警報監視盤は、それらのアドレスを記憶した後、通知する。【選択図】図１
2008054192.tif 000002
【特許請求の範囲】
【請求項１】
集合住宅の各住棟に設置され、少なくとも、各住戸に設置されたインターホン親機を備えた住宅情報端末器、ロビーインターホンとの間で呼出通話を行い、かつ、集合住宅内のセキュリティ監視制御を行うようにした住棟警報監視盤に信号線を介して接続されたセンター監視盤であって、
上記住棟警報監視盤に上記信号線を通じて一斉放送要求信号を送信したときには、それぞれの上記警報監視盤からの一斉放送受信可能信号の返信有無を判別して、一斉放送受信可能信号が返信された住棟警報監視盤には上記信号線を通じて、各住棟へ放送メッセージを一斉に出力する一方、一斉放送受信可能信号が返信されなかった住棟警報監視盤は、それらのアドレスを記憶し、通知するようにしているセンター監視盤。
【請求項２】
請求項１において、
表示操作部を設けるとともに、上記信号線を通じて、それぞれの住棟警報監視盤に接続された群管理インターフェースを住棟毎に更に設けており、
上記一斉放送要求信号を、上記それぞれの群管理インターフェースを通じて、上記住棟警報監視盤に送出した後、上記センター監視盤で、それぞれの住棟監視盤からの一斉放送受信可能信号の返信有無を判別し、一斉放送受信可能信号が返信されなかった住棟警報監視盤のアドレスを上記表示操作部に表示するようにしていることを特徴とするセンター監視盤。
【請求項３】
集合住宅の各住棟に設置され、少なくとも、各住戸に設置されたインターホン親機を備えた住宅情報端末器、ロビーインターホンとの間で呼出通話を行い、かつ、集合住宅内のセキュリティ監視制御を行うようにした住棟警報監視盤に、請求項１に記載したセンター監視盤を信号線を接続して構成された集合住宅群管理通話システム。
【請求項４】
請求項３において、
上記住棟警報監視盤は、上記センター監視盤から一斉放送要求信号を受信したときには、自身が管理するシステムの住宅情報監視盤に一斉放送要求信号を送信した後、上記センター監視盤に一斉放送受信可能信号を返信することを特徴とする集合住宅郡管理通話システム。
【請求項５】
請求項４において、
上記センター監視盤は、上記一斉放送受信可能信号が返信されなかった警報監視盤を記憶した後、上記信号線を通じて、上記一斉放送受信可能信号が返信された住棟警報監視盤に放送メッセージを送出する一方、一斉放送受信可能信号が返信されなかった住棟警報監視盤のアドレスを通知することを特徴とする集合住宅群管理通話システム。
【請求項６】
請求項４または５において、
上記センター監視盤は、上記住棟警報監視盤に上記一斉放送要求信号を送信してから、上記所定時間の間に、上記一斉放送受信可能信号の返信有無を、上記住棟警報監視盤に対応させて記憶し、その後に上記一斉放送受信可能信号が返信された住棟警報監視盤に対して、放送メッセージを一斉送信することを特徴とする集合住宅群管理通話システム。
【請求項７】
請求項６において、
上記センター監視盤は、上記一斉放送受信可能信号が返信されずに、上記アドレスを記憶しておいた住棟警報監視盤に対して、上記放送メッセージを再送信することを特徴とする集合住宅群管理通話システム。
【請求項８】
請求項４において、
上記住棟警報監視盤は、上記センター監視盤から上記一斉放送要求信号を受信したときに、自己の管理するシステム内の通話線の使用状態を判別し、すべての通話線が使用中になると、上記信号線を開いて、上記センター監視盤との接続を遮断する制御手段を備えていることを特徴とする集合住宅群管理通話システム。
【発明の詳細な説明】
【技術分野】
【０００１】
本発明は、集合住宅群管理通話システムに使用されるセンター監視盤、それを用いた集合住宅群管理通話システムの改良に関する。
【背景技術】
【０００２】
近時、特許文献１に示すように、集合住宅群管理通話システムが広く普及してきている。
【０００３】
この種の集合住宅群管理通話システムでは、集合住宅は各住棟に区分されており、各住棟においては、各住戸に設置されインターホン親機を備える住宅情報端末器には、各住棟に設置される住棟警報監視盤を接続し、各住棟警報監視盤には、群管理インタフェースを介在させて、管理人室などに設置されるセンター監視盤を接続している。
【０００４】
このものでは、住棟警報監視盤の制御によって、各住戸に設置される住宅情報端末器に接続されるセキュリティセンサの発報などを監視し、その監視結果をセンター監視盤に通知する他、住棟警報監視盤と住宅情報端末器との間、ロビーインターホンと住宅情報端末器との間の呼出通話が制御されている。
【０００５】
また、最近では、特願２００５−２１５７９９号に提示したように、各住棟において、２系統の通話線を通じて、住宅情報端末器とロビーインターホンとをコントローラを介在させて接続し、コントローラにより、２系統のうち空き回線を使用した通話路を閉結することで、住宅情報端末器とロビーインターホンとの間の通話を可能にしたものも存在する。また、使用中の通話線は、他住棟の通話線から遮断させることにより、他の住棟の同一系統の通話線の使用に影響を与えないようにしている。
【特許文献１】特開２００１−１０３１７６号公報
【発明の開示】
【発明が解決しようとする課題】
【０００６】
ところで、上記したような集合住宅群管理通話システムでは、避難訓練や緊急放送のための一斉放送を行う際には、センター監視盤の制御により、住棟警報監視盤に対して一斉放送要求信号が送信され、これを受けた住棟警報監視盤が、自身が管理する住棟の通話線の空き状態を確認して、空いていれば、一斉放送受信可能信号を返信するとともに、自身の管理する住宅情報端末器と住棟警報監視盤との通話路を閉結させる。その後、一斉放送受信可能信号を返信した住棟警報監視盤を指定した放送メッセージがセンター監視盤より送出されるので、これを受けた各棟の住棟警報監視盤は、閉結しておいた通話路を通じて、自身が管理する住宅情報端末器に放送メッセージを出力する。
【０００７】
しかしながら、各棟において、その住棟の通話路が使用中である場合には、その棟の住棟警報監視盤は、センター監視盤からの放送メッセージの受け入れを行うことができず、一部の住棟の住戸住宅情報端末器からは一斉放送が行われないといったことがあった。
【０００８】
本発明は、このような事情を考慮して提案されるものであり、一斉放送することができなかった住棟の住棟警報監視盤を予め記憶しておくことで、一斉放送処理を行った後に、その住棟警報監視盤を確認でき、一斉放送できなかった住棟の住宅情報端末器からも放送メッセージを出力させることのできるセンター監視盤、及び、集合住宅群管理通話システムを提供することを目的とする。
【課題を解決するための手段】
【０００９】
上記目的を達成するために、本発明の請求項１、２ではセンター監視盤を提案し、請求項３〜７では集合住宅群管理通話システムを提案する。
【００１０】
請求項１のセンター監視盤では、集合住宅の各住棟に設置され、少なくとも、各住戸に設置されたインターホン親機を備えた住宅情報端末器、ロビーインターホンとの間で呼出通話を行い、かつ、集合住宅内のセキュリティ監視制御を行うようにした住棟警報監視盤に信号線を介して接続されたセンター監視盤であって、
住棟警報監視盤に信号線を通じて一斉放送要求信号を送信したときには、それぞれの警報監視盤からの一斉放送受信可能信号の返信有無を判別して、一斉放送受信可能信号が返信された住棟警報監視盤には信号線を通じて、各住棟へ放送メッセージを一斉に出力する一方、一斉放送受信可能信号が返信されなかった住棟警報監視盤は、それらのアドレスを記憶し、通知するようにしている。
【００１１】
請求項２のセンター監視盤では、表示操作部を設けるとともに、信号線を通じて、それぞれの住棟警報監視盤に接続された群管理インターフェースを住棟毎に更に設けており、一斉放送要求信号を、それぞれの群管理インターフェースを通じて、住棟警報監視盤に送出した後、センター監視盤で、それぞれの住棟監視盤からの一斉放送受信可能信号の返信有無を判別し、一斉放送受信可能信号が返信されなかった住棟警報監視盤のアドレスを表示操作部に表示するようにしていることを特徴とする。
【００１２】
請求項３の集合住宅群管理通話システムでは、集合住宅の各住棟に設置され、少なくとも、各住戸に設置されたインターホン親機を備えた住宅情報端末器、ロビーインターホンとの間で呼出通話を行い、かつ、集合住宅内のセキュリティ監視制御を行うようにした住棟警報監視盤に、請求項１に記載したセンター監視盤を信号線を接続して構成されている。
請求項４の集合住宅郡管理通話システムでは、住棟警報監視盤は、センター監視盤から一斉放送要求信号を受信したときには、自身が管理するシステムの住宅情報監視盤に一斉放送要求信号を送信した後、上記センター監視盤に一斉放送受信可能信号を返信することを特徴とする。
【００１３】
請求項５の集合住宅群管理通話システムでは、センター監視盤は、一斉放送受信可能信号が返信されなかった警報監視盤を記憶した後、信号線を通じて、一斉放送受信可能信号が返信された住棟警報監視盤に放送メッセージを送出する一方、一斉放送受信可能信号が返信されなかった住棟警報監視盤のアドレスを通知することを特徴とする。
【００１４】
請求項６の集合住宅群管理通話システムでは、センター監視盤は、住棟警報監視盤に一斉放送要求信号を送信してから、所定時間の間に、一斉放送受信可能信号の返信有無を、住棟警報監視盤に対応させて記憶し、その後に一斉放送受信可能信号が返信された住棟警報監視盤に対して、放送メッセージを一斉送信することを特徴とする。
【００１５】
請求項７の集合住宅群管理通話システムでは、センター監視盤は、一斉放送受信可能信号が返信されずに、アドレスを記憶しておいた住棟警報監視盤に対して、放送メッセージを再送信することを特徴とする。
【００１６】
請求項８の集合住宅群管理通話システムでは、住棟警報監視盤は、センター監視盤から一斉放送要求信号を受信したときに、自己の管理するシステム内の通話線の使用状態を判別し、すべての通話線が使用中になると、信号線を開いて、センター監視盤との接続を遮断する制御手段を備えていることを特徴とする。
【発明の効果】
【００１７】
請求項１、２によれば、一斉放送受信可能信号を返信しなかった住棟警報監視盤について通知されたアドレスを見ることで、一斉放送することができなかった住棟を確認することができる。
【００１８】
請求項３によれば、集合住宅内のセキュリティ監視制御を行う住棟警報監視盤に、請求項１に記載のセンター監視盤を接続して構成しているので、請求項１の効果を発揮する集合住宅群管理通話システムを提供することができる。
請求項４によれば、住棟警報監視盤は、センター監視盤から一斉放送要求信号を受信したときには、自身が管理するシステムの住宅情報監視盤に一斉放送要求信号を送信した後、センター監視盤に一斉放送受信可能信号を返信するので、住宅情報端末器から一斉放送要求信号に対する返信信号を受けなくても一斉放送受信可能信号を返信でき、通信をスムースに行える。
【００１９】
請求項５によれば、センター監視盤は、一斉放送受信可能信号が返信された住棟警報監視盤に放送メッセージを送信した後、一斉放送受信可能信号が返信されなかった住棟警報監視盤のアドレスを通知するので、その時点で一斉放送できる住棟だけ一斉放送させておき、その後に、一斉放送ができなかった住棟に対して放送メッセージを漏れることなく送信できる。
【００２０】
請求項６によれば、一斉放送要求信号を送信してから、所定時間の間に一斉放送受信可能信号の返信があった住棟警報監視盤のみに放送メッセージを出力するので、全棟で一斉放送の開始タイミングを揃えることができる。
【００２１】
請求項７によれば、返信がなかったとして記憶されている住棟警報監視盤に一斉放送要求信号を再送信するので、一斉放送できなかった住棟には後から放送メッセージを漏らすことなく送出することができる。
【００２２】
請求項８によれば、住棟警報監視盤は、自己の管理するシステム内のすべての通話線が使用中になると、信号線を開いてセンター監視盤との接続を遮断するので、棟内で呼出、通話が途中で遮断されることがなく、通話線の空き時にのみ一斉放送要求信号などが受信でき、センター監視盤との間で信号を送受できる。
【発明を実施するための最良の形態】
【００２３】
以下に、本発明の実施の形態について説明する。
【００２４】
図４は、本発明の集合住宅群管理通話システムの概略構成を示すシステム系統図である。
【００２５】
本発明の集合住宅群管理通話システムは、集合住宅の各住棟に設置され、インターホン親機を備えた住宅情報端末器３に、制御信号、音声信号の伝送が可能な信号線Ｌ１、通話線Ｌ２を介して、各棟のセキュリティ監視制御を行う住棟警報監視盤２と、ロビーインターホン４とを接続しており、各住棟警報監視盤２には、信号線Ｌ１を介して、群管理インターフェース盤５を介在させて、センター監視盤１を接続して構成されている。
【００２６】
なお、住棟警報監視盤２と、住棟警報監視盤３またはロビーインターホン４との間で多重伝送を行う場合には、信号線Ｌ１と通話線Ｌ２の機能を兼ね備えた共用線で接続するようにしてもよい。
【００２７】
また、センター監視盤１、群管理インターフェース盤５、住棟警報監視盤２は、ここでは、信号線Ｌ１で接続しているが、信号線と通話線との機能を兼ね備えた伝送線で接続してもよい。
【００２８】
このような集合住宅群管理通話システムでは、住棟警報監視盤２の制御により、各住棟の住宅情報端末器３に対して、信号線Ｌ１を通じたポーリングによって、住宅情報端末器３を監視しており、その監視結果を、信号線Ｌ１を通じて送信して、センター監視盤１に通知する。
【００２９】
また、各棟において、住棟警報監視盤２またはロビーインターホン４において、住宅情報端末器３を指定した呼出操作があったときには、住棟警報監視盤２の制御により、信号線Ｌ１を通じて呼出信号が送信されることでその住宅情報端末器３が呼び出され、応答があれば、呼出を行った住棟警報監視盤２またはロビーインターホン４と、応答した住宅情報端末器３が備えるインターホン親機とで通話路を閉結し、通話線Ｌ２を通じた通話が可能となる。また、この動作の呼出側と被呼出側とを入れ替えた呼出通話も可能である。
【００３０】
図５は、センター監視盤１の要部構成の一例を示すブロック図である。
【００３１】
このセンター監視盤１は、以下の各部を制御する制御部１０、信号線Ｌ１を通じて各種信号を送受するための伝送送受信部１１、表示操作部１２、記憶部１３、警報音声生成部１４、通話部１５を備える。
【００３２】
表示操作部１２は、たとえばタッチパネルなどで構成することができ、一斉放送要求信号の送信に対して一斉放送受信可能信号の返信がなかった住棟警報監視盤２のアドレスを表示するようにしている。
【００３３】
記憶部１３には、少なくとも、システムを構成する住棟警報監視盤２、住宅情報端末器３、ロビーインターホン４、群管理インターフェース盤５のアドレスが記憶される他、一斉放送受信可能信号の返信がなかった住棟警報監視盤２のアドレスを記憶するようにしている。
【００３４】
警報音声生成部１４は、ある住棟で住宅情報端末器３が発報したことを警告する音声メッセージの他、一斉放送メッセージを生成する。
【００３５】
通話部１６は、このセンター監視盤１においてシステムの住宅情報端末器３と通話をするために設けられており、目的の住宅情報端末器３が属する住棟の住棟警報監視盤２に対して、その住棟警報監視盤２と住宅情報端末器３との通話路を閉結させて、音声信号を、信号線Ｌ１、通話線Ｌ２を通じて送受することで、通話させる。
【００３６】
図６は、住棟警報監視盤２の要部構成の一例を示すブロック図である。
【００３７】
この住棟警報監視盤１は、以下の各部を制御し、通話制御手段を構成する制御部２０、信号線Ｌ１を通じて各種信号を送受するための伝送送受信部２１、操作部２２、記憶部２３、警報音声生成部２４、表示部２５、通話部２６を備える。
【００３８】
記憶部２３には、少なくとも、センター監視盤１のアドレスと、自身が管理する住棟の住宅情報端末器３、ロビーインターホン４のアドレスとが記憶されている。
【００３９】
警報音声生成部２４は、ある住宅情報端末器３で発報したことを警告する音声メッセージを生成する。
【００４０】
通話部２６は、この住棟警報監視盤２において通話線Ｌ２を通じて、その住棟の住棟警報監視盤２と通話をするために設けられており、一斉放送時には、センター監視盤１から群管理インターフェイス盤５を介して送出されてきた放送メッセージが、通話線Ｌ２に対して送出されるようになっている。
【００４１】
図７は、インターホン親機を備えた住宅情報端末器３の要部構成の一例を示すブロック図である。
【００４２】
この住宅情報端末器３は、以下の各部を制御する制御部３０、信号線Ｌ１を通じて各種信号を送受するための伝送送受信部３１、モニタ部３２、映像処理部３３、スイッチ入力部３４、操作スイッチ部３５、センター監視盤１や住棟警報監視盤２との間で通話を行うための通話処理部３６、報知音生成部３７、マイクロホンＭＩ、スピーカＳＰを備える。
【００４３】
通話処理部３６は、マイクロホンＭＩ、スピーカＳＰを使用したハンズフリー通話を行うために設けられており、ドアホン通話線Ｌ３を通じてドアホン子器６が接続されている。この通話処理部３６は、制御部３０により制御され、ドアホン子器６からの呼出に対して応答したときにはこの住宅情報端末器３をドアホン子器６に接続させる一方、後述する一斉送信時には、住宅情報端末器３を通話線Ｌ２に接続させる。
【００４４】
報知音生成部３７は、図示しないセキュリティセンサの発報時に、住棟警報監視盤２の制御により行われる警報出力において報知される報知音を生成してスピーカＳＰより出力させるようにしている。
【００４５】
図８は、群管理インターフェース盤の要部構成の一例を示すブロック図である。
【００４６】
この群管理インターフェイス盤５は、以下の各部を制御する制御部５０と、通話制御部５１と、記憶部５２、センター監視盤１側に設けられ、センター監視盤１との間の信号送受を制御する伝送送受信部５３Ａ、住棟警報監視盤２側に設けられ、住棟警報監視盤２との間の信号送受を制御する伝送送受信部５３Ｂを備える。
【００４７】
図１は、このような構成の集合住宅群管理通話システムの基本動作を説明するフローチャートである（１００〜１０４）。図２は、本システムで送受される信号フォーマットの一例を示す図である。図３は、本システムの信号送受の態様を説明する図である。
【００４８】
本システムで送受される信号には、センター監視盤１が住棟警報監視盤２に対して、住棟警報監視盤２が管理するシステムの状態を問い合わせるための信号、住棟警報監視盤２が住宅情報端末器３またはロビーインターホン４の状態をポーリングにより監視する監視信号、センター監視盤１から住棟警報監視盤２に送信される一斉放送要求信号、住棟警報監視盤２から住宅情報端末器３に送信される一斉放送要求信号、住棟警報監視盤２からセンター監視盤１に返信される一斉放送受信可能信号が含まれる。
【００４９】
このような信号は、図２に示すように、スタートビット格納領域、モード格納領域、アドレス格納領域、コマンド格納領域、エンドビット格納領域を備えている。
【００５０】
スタートビット格納領域には、送信先に対して信号送信の始まりを通知するためのスタートビットが格納される。モード記憶領域は、例えば、コマンド送信、割込要求フラグのリセット、割込要求端末に全アドレスを返信させる、割込要求などを行うためのモードが格納される。
【００５１】
アドレス格納領域には、送信元、送信先のアドレスが格納される。コマンド格納領域には、監視信号、一斉放送要求信号などとして機能するための制御コマンドが格納される。エンドビット格納領域には、送信先に対して信号送信の終わりを通知するためのエンドビットが格納される。
【００５２】
ついで、本発明の基本動作を図１のフローチャートとともに説明する。
【００５３】
センター監視盤１が一斉放送をさせる際には、システムの全ての住棟警報監視盤２を指定して、一斉放送要求信号を送信する（１００）。
【００５４】
これを受けたシステム内の住棟警報監視盤２は、自身が管理する住棟の通話線Ｌ２の使用状態を判別し、通話線Ｌ２が使用中でないときには、群管理インターフェイス盤５を介して、一斉放送受信可能信号を返信するとともに、自身が管理するシステム内の住宅情報端末器３に一斉放送要求信号を送出する（１０１）。一方、通話線Ｌ２が使用中の場合には、住棟警報監視盤２は、信号線Ｌ１を開いて、群管理インターフェイス５との接続を遮断する。
【００５５】
なお、住棟警報監視盤２は、自身が管理する通話線Ｌ２が複数系統存在する場合には、いずれか１系統の通話線Ｌ２が空いているか否かを判別し、全ての系統の通話線Ｌ２が使用中である場合に、群管理インターフェイス５との接続を遮断する。
【００５６】
なお、一斉放送要求信号を受けた住宅情報端末器３は、割込信号を住棟警報監視盤２に返信し、住棟警報監視盤２からの指令に対して、その住棟警報監視盤２と通話路を閉結する（１０２，１０４）。
【００５７】
そして、センター監視盤１は、群管理インターフェイス５を介して住棟警報監視盤１から一斉放送受信可能信号を受信したときには、一斉放送受信可能信号を返信した住棟警報監視盤２のアドレスを指定した放送メッセージを信号線Ｌ１を通じて送信するので、これを受けた住棟警報監視盤２は、通話線Ｌ２に放送メッセージを送信する。一斉放送受信可能信号を返信しなかった住棟警報監視盤２については、そのアドレスを記憶し（１０３）、その後、記憶したアドレスを表示操作部１２の表示やスピーカＳＰによる音声鳴動などにより通知する。
【００５８】
この通知態様は、例えば、表示操作部１２に表示させる場合には、「一斉放送不可能の棟番号：１、２、３、・・・・」といったような表示を行う。表示操作部１２の表示スペースに収まり切らない場合には、スクロール表示をさせ、表示操作部１２の操作によりスクロールするようにしてもよい。
【００５９】
また、センター監視盤１での表示操作部１２の所定操作により、返信がなかった住棟警報監視盤２のアドレスを指定した一斉放送要求信号を送信し、一斉放送受信可能信号の受信の有無により、一斉放送をさせるか、住棟警報監視盤２のアドレスを記憶させる処理を行う。
【００６０】
図４は、本発明の集合住宅群管理通話システムの基本動作の他例を説明するフローチャートである（２００〜２０５）。
【００６１】
このシステムでは、センター監視盤１は、一斉放送対象となるシステム内の全ての住棟警報監視盤２を指定した一斉放送要求信号を送信し（２００）、タイマを起動して所定時間の計測を開始する（２０１）。
【００６２】
これを受けたシステム内の住棟警報監視盤２は、自身が管理する住棟の通話線Ｌ２の使用状態を判別し、通話線Ｌ２が使用中でないときには、群管理インターフェイス盤５を介して、一斉放送受信可能信号を返信するとともに、自身が管理するシステム内の住宅情報端末器３に一斉放送要求信号を送出する（２０２）。一方、通話線Ｌ２が使用中の場合には、住棟警報監視盤２は、信号線Ｌ１を開いて、群管理インターフェイス５との接続を遮断する。
【００６３】
なお、一斉放送要求信号を受けた住宅情報端末器３は、その住棟の住棟警報監視盤２と通話路を閉結する（２０３，２０５）。
【００６４】
そして、センター監視盤１は、所定時間内に群管理インターフェイス５を介して一斉放送受信可能信号を返信した住棟警報監視盤２のアドレスを指定した放送メッセージを信号線Ｌ１を通じて送信する。これを受けた住棟警報監視盤２は、通話線Ｌ２に放送メッセージを送信する。一方、所定時間内に一斉放送受信可能信号を返信しなかった住棟警報監視盤２については、そのアドレスを記憶し（２０４）、その後、記憶したアドレスを表示操作部１２の表示やスピーカＳＰによる音声鳴動などにより通知する。
【図面の簡単な説明】
【００６５】
【図１】本発明の集合住宅群管理通話システムの基本動作の一例を説明するフローチャート
【図２】本発明の集合住宅群管理通話システムで送受される信号フォーマットを示す図
【図３】本発明の集合住宅群管理通話システムにおける信号送受の態様を説明する図である。
【図４】本発明の集合住宅群管理通話システムの基本動作の他例を説明するフローチャート
【図５】本発明の集合住宅群管理通話システムの概略構成の一例を示すシステム系統図
【図６】センター監視盤の要部構成の一例を示すブロック図
【図７】住棟警報監視盤の要部構成の一例を示すブロック図
【図８】住宅情報端末器の要部構成の一例を示すブロック図
【図９】群管理インターフェイス盤の要部構成の一例を示すブロック図
【符号の説明】
【００６６】
１  センター監視盤
２  住棟警報監視盤
３  住宅情報端末器
４  ロビーインターホン
１２  表示操作部
２０  制御部（通信制御手段）
Ｌ１  信号線
Ｌ２  通話線
【図１】
2008054192.tif 000003
【図２】
2008054192.tif 000004
【図３】
2008054192.tif 000005
【図４】
2008054192.tif 000006
【図５】
2008054192.tif 000007
【図６】
2008054192.tif 000008
【図７】
2008054192.tif 000009
【図８】
2008054192.tif 000010
【図９】
2008054192.tif 000011